(57)【特許請求の範囲】
【請求項１】
ユーザを識別する識別情報が記憶された原稿の画像を読み取る読取部と、
ユーザの操作指示を受け付ける受付部と、
前記識別情報を取得する識別情報取得部と、
前記情報を報知する報知部と、
前記受付部によって、前記原稿に記憶された識別情報の取得を指示する操作指示が受け付けられた場合、前記識別情報取得部によって、前記原稿に記憶されている識別情報を取得させ、当該取得された識別情報で識別されるユーザを表す情報を前記報知部によって報知させる報知処理部とを備え、
前記識別情報は、無線信号によって識別情報を送信するＲＦＩＤタグ及び画像のうち少なくとも一つによって前記原稿に記憶されており、
前記識別情報取得部は、
ＲＦＩＤタグの読み取りと、画像で表された情報の読み取りとが実行可能にされており、
前記報知処理部は、
前記識別情報取得部によって前記原稿に記憶されている識別情報を取得させる際に、前記識別情報取得部によって、無線通信によるＲＦＩＤタグの読み取りを実行させ、当該ＲＦＩＤタグが読み取れた場合は当該読み取られた情報を前記識別情報として取得させ、当該識別情報が読み取れなかった場合は、さらに前記読取部によって当該原稿の画像を読み
取らせ、前記識別情報取得部によって、前記読取部によって読み取られた原稿の画像から、前記識別情報を取得させることを特徴とする画像読取装置。
【請求項２】
通信回線を介して接続された通信端末装置との間で通信を行う通信部をさらに備え、
前記報知処理部は、
前記受付部によって、前記操作指示が受け付けられた場合、前記識別情報取得部によって取得された識別情報で示されるユーザを宛先に指定して、原稿を置き忘れている旨の情報を、前記通信部により前記通信端末装置へ送信させること
を特徴とする請求項１記載の画像読取装置。
【請求項３】
通信回線を介して接続された通信端末装置との間で通信を行う通信部をさらに備え、
前記報知処理部は、
前記識別情報を前記報知部によって報知させた後、前記受付部によって、前記識別情報で示されるユーザへの通知を指示する操作指示が受け付けられた場合、前記識別情報取得部によって取得された識別情報で示されるユーザを宛先に指定して、原稿を置き忘れている旨の情報を、前記通信部により前記通信端末装置へ送信させること
を特徴とする請求項１記載の画像読取装置。
【請求項４】
前記報知処理部は、
前記原稿を置き忘れている旨の情報を前記通信部により前記通信端末装置へ送信させる際に、前記読取部により読み取られた原稿の画像を前記情報と共に送信させること
を特徴とする請求項２又は３記載の画像読取装置。
【請求項５】
前記画像によって原稿に記憶された識別情報は、バーコードによって表されていること
を特徴とする請求項１〜４のいずれか１項に記載の画像読取装置。
【請求項６】
前記画像によって原稿に記憶された識別情報は、２次元コードによって表されていること
を特徴とする請求項１〜４のいずれか１項に記載の画像読取装置。
【請求項７】
請求項１〜６のいずれか１項に記載の画像読取装置と、
前記読取部によって読み取られた原稿の画像を、用紙に形成する画像形成部と
を備えることを特徴とする画像形成装置。
【発明の詳細な説明】
【技術分野】
【０００１】
本発明は、原稿から画像を読み取る画像読取装置、及び画像読取装置により読み取られた画像を用紙に形成する画像形成装置に関する。
【背景技術】
【０００２】
従来、原稿から読み取った画像を用紙に形成する複写機や複合機等の画像形成装置では、原稿の複写を行った後に、ユーザが原稿を置き忘れてしまう場合が少なくない。そこで、原稿の置き忘れを検出し、スピーカでメロディやチャイムを鳴らしたり、ＬＥＤ（Light Emitting Diode）の発光や液晶表示によって、原稿の置き忘れを表示したりする画像形成装置が知られている（例えば、特許文献１参照。）。
【特許文献１】特開１９９６−８７１４１号公報
【発明の開示】
【発明が解決しようとする課題】
【０００３】
しかしながら、上述のように原稿の置き忘れがあったことを報知するだけでは、誰が原稿を置き忘れたのか判らず、原稿を忘れた本人が気付かない限り、原稿を管理者（持ち主）に返すことができないという不都合があった。
【０００４】
本発明は、このような事情に鑑みて為された発明であり、原稿の置き忘れがあった場合に、当該原稿の管理者を報知することができる画像読取装置、及び画像形成装置を提供することを目的とする。
【課題を解決するための手段】
【０００５】
本発明に係る画像読取装置は、ユーザを識別する識別情報が記憶された原稿の画像を読み取る読取部と、ユーザの操作指示を受け付ける受付部と、前記識別情報を取得する識別情報取得部と、前記情報を報知する報知部と、前記受付部によって、前記原稿に記憶された識別情報の取得を指示する操作指示が受け付けられた場合、前記識別情報取得部によって、前記原稿に記憶されている識別情報を取得させ、当該取得された識別情報で識別されるユーザを表す情報を前記報知部によって報知させる報知処理部とを備え、前記識別情報は、無線信号によって識別情報を送信するＲＦＩＤタグ及び画像のうち少なくとも一つによって前記原稿に記憶されており、前記識別情報取得部は、ＲＦＩＤタグの読み取りと、画像で表された情報の読み取りとが実行可能にされており、前記報知処理部は、前記識別情報取得部によって前記原稿に記憶されている識別情報を取得させる際に、前記識別情報取得部によって、無線通信によるＲＦＩＤタグの読み取りを実行させ、当該ＲＦＩＤタグが読み取れた場合は当該読み取られた情報を前記識別情報として取得させ、当該識別情報が読み取れなかった場合は、さらに前記読取部によって当該原稿の画像を読み取らせ、前記識別情報取得部によって、前記読取部によって読み取られた原稿の画像から、前記識別情報を取得させる。
【０００６】
この構成によれば、画像読取装置に原稿が置き忘れられていた場合、ユーザが受付部を操作することにより、受付部によって、原稿に記憶された識別情報の取得を指示する操作指示が受け付けられる。そうすると、報知処理部は、識別情報取得部により原稿に記憶されている識別情報を取得させ、当該取得された識別情報で識別されるユーザを表す情報を報知部によって報知させる。これにより、原稿の置き忘れがあった場合に、当該原稿の管理者を報知することができる。この構成によれば、識別情報がＲＦＩＤタグによって記憶されているときは、識別情報取得部によって、無線通信によりＲＦＩＤタグから識別情報が取得されるので、原稿画像の読み取りを行う必要がなく、原稿画像の読み取り時間が短縮される。また、ＲＦＩＤタグが読み取れなかったときは、自動的に読取部によって当該原稿の画像が読み取られ、その原稿画像から識別情報が取得されるので、ユーザは、識別情報がＲＦＩＤタグ及び画像のうちいずれに記憶されているかを意識することなく、報知部により報知される情報によって、原稿の管理者を知ることができる。
【０００７】
また、通信回線を介して接続された通信端末装置との間で通信を行う通信部をさらに備え、前記報知処理部は、前記受付部によって、前記操作指示が受け付けられた場合、前記識別情報取得部によって取得された識別情報で示されるユーザを宛先に指定して、原稿を置き忘れている旨の情報を、前記通信部により前記通信端末装置へ送信させることが好ましい。
【０００８】
この構成によれば、受付部によって、前記操作指示が受け付けられた場合、報知処理部によって、識別情報取得部により取得された識別情報で示されるユーザを宛先に指定して、原稿を置き忘れている旨の情報が、通信部により通信端末装置へ送信される。これにより、原稿を置き忘れたユーザ宛に、原稿を置き忘れている旨の情報が送信されるので、原稿を置き忘れたユーザは自分が原稿を置き忘れたことを知ることができる。
【０００９】
また、通信回線を介して接続された通信端末装置との間で通信を行う通信部をさらに備え、前記報知処理部は、前記識別情報を前記報知部によって報知させた後、前記受付部によって、前記識別情報で示されるユーザへの通知を指示する操作指示が受け付けられた場合、前記識別情報取得部によって取得された識別情報で示されるユーザを宛先に指定して、原稿を置き忘れている旨の情報を、前記通信部により前記通信端末装置へ送信させるようにしてもよい。
【００１０】
この構成によれば、ユーザは、報知部によって報知された識別情報で識別されるユーザを確認してから、通信による通知が必要な場合にのみユーザへの通知を指示する操作指示を行うことで、当該ユーザを宛先に指定して原稿を置き忘れている旨の情報を送信させることができる。従って、例えば、識別情報で識別されるユーザに原稿を手渡ししようと考えている場合など、通信で原稿を置き忘れている旨通知する必要がない場合には、通知を指示する操作指示を行わなければ不要な通信処理が行われないので、不要な動作を減少させることができる。
【００１１】
また、前記報知処理部は、前記原稿を置き忘れている旨の情報を前記通信部により前記通信端末装置へ送信させる際に、前記読取部により読み取られた原稿の画像を前記情報と共に送信させることが好ましい。
【００１２】
この構成によれば、原稿を置き忘れている旨の情報と共に原稿の画像が、原稿から取得された識別情報で示されるユーザ宛に通信で送信されるので、原稿を置き忘れたユーザは、原稿を置き忘れた画像読取装置のところまで行かなくても置き忘れた原稿を確認することができ、利便性が向上する。
【００１７】
また、前記画像によって原稿に記憶された識別情報は、バーコードによって表されていることが好ましい。この構成によれば、バーコードの画像によって、原稿に識別情報を記憶させることができる。
【００１８】
また、前記画像によって原稿に記憶された識別情報は、２次元コードによって表されるようにしてもよい。この構成によれば、２次元コードの画像によって、原稿に識別情報を記憶させることができる。
【００２０】
また、本発明に係る画像形成装置は、上述の画像読取装置と、前記読取部によって読み取られた原稿の画像を、用紙に形成する画像形成部とを備える。この構成によれば、画像形成装置に原稿が置き忘れられていた場合、ユーザが受付部を操作することにより、当該原稿の管理者を報知することができる。
【発明の効果】
【００２１】
このような構成の画像読取装置及び画像形成装置は、画像読取装置や画像形成装置に原稿が置き忘れられていた場合、ユーザが受付部を操作することにより、受付部によって、原稿に記憶された識別情報の取得を指示する操作指示が受け付けられる。そうすると、報知処理部は、識別情報取得部により原稿に記憶されている識別情報を取得させ、当該取得された識別情報で識別されるユーザを表す情報を報知部によって報知させる。これにより、原稿の置き忘れがあった場合に、当該原稿の管理者を報知することができる。
【発明を実施するための最良の形態】
【００２２】
以下、本発明に係る実施形態を図面に基づいて説明する。なお、各図において同一の符号を付した構成は、同一の構成であることを示し、その説明を省略する。図１は、本発明の一実施形態に係る画像読取装置を備えた画像形成装置の一例である複合機の内部構成を概略的に示す側面図である。図２は、図１に示す複合機１の電気的構成の一例を示すブロック図である。
【００２３】
複合機１は、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された原稿読取部５（読取部）と、原稿読取部５の上方に配設された原稿給送部６と、本体部２の内部に配設された制御部１００とを有している。また、複合機１のフロント部には、略長方形の操作パネル部４７が設けられている。
【００２４】
図３は、図１に示す操作パネル部４７の一例を示す外観図である。この操作パネル部４７には、ユーザが印刷実行指示を入力するためのスタートキー４７１と、印刷部数等を入力するためのテンキー４７２と、各種動作の操作ガイド情報等を表示し、これら各種設定入力用にタッチパネル機能を有する液晶ディスプレイ等からなる表示部４７３（報知部）と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７とが設けられている。そして、例えば操作パネル部４７の右上の角付近に、原稿に記憶された識別情報の取得を指示する操作指示を受け付ける原稿忘れキー４７８（受付部）が設けられている。
【００２５】
以下、スタートキー４７１、テンキー４７２、リセットキー４７４、ストップキー４７５、機能切換キー４７７、及び原稿忘れキー４７８を総称して操作キー部４７６と称する。
【００２６】
原稿読取部５は、ＣＣＤ（Charge Coupled Device）５１２及び露光ランプ５１１等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２７】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２８】
そして、原稿載置部６１における原稿載置面の下部には、ＩＤ（identification）タグ読取装置６４（識別情報取得部）が配設されている。原稿には、当該原稿を管理しているユーザを識別する識別情報が、例えばバーコードや２次元コード等の画像情報として印刷されていたり、あるいは、原稿に、当該原稿を管理しているユーザを識別する識別情報が記憶されたＲＦＩＤ（Radio Frequency Identification）タグが取り付けられていたりする。
【００２９】
ＩＤタグ読取装置６４は、原稿載置部６１に載置された原稿にＲＦＩＤタグが取り付けられている場合、原稿に取り付けられたＲＦＩＤタグと無線通信を行う。そして、ＩＤタグ読取装置６４は、ＲＦＩＤタグに記憶されている情報を読み出して、制御部１００へ出力する。ＩＤタグ読取装置６４は、無線通信可能な距離が、原稿載置部６１の近傍に限られるように短い距離に設定されており、原稿載置部６１に載置されている原稿以外の原稿に取り付けられたＲＦＩＤタグと通信してしまうおそれが低減されている。
【００３０】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等をユーザが載置できるようになっている。
【００３１】
本体部２は、複数の給紙カセット４６１と、給紙カセット４６１から用紙を１枚ずつ繰り出して画像形成部４０へ搬送する給紙ローラ４６２と、給紙カセット４６１から搬出されてきた用紙に画像を形成する画像形成部４０と、装置全体の動作制御を司る制御部１００とを備える。
【００３２】
画像形成部４０は、スキャナ部５１で取得された画像データに基づきレーザ光等を出力して感光体ドラム４３を露光する光学ユニット４２、感光体ドラム４３、感光体ドラム４３上にトナー像を形成する現像部４４、及び感光体ドラム４３上のトナー像を用紙に転写する転写部４１からなる像形成部４１２と、トナー像が転写された用紙を加熱してトナー像を用紙に定着させる定着部４５と、画像形成部４０内の用紙搬送路中に設けられ、用紙をスタックトレイ３又は排出トレイ４８まで搬送する搬送ローラ４６３，４６４等からなる用紙搬送部４１１とを備える。
【００３３】
定着部４５は、シリコンゴム等からなる弾性体を表面に有する圧ローラ４５１と、熱ローラ４５２とを備える。熱ローラ４５２の内部には、ヒータ４５３が内蔵されている。ヒータ４５３は、例えばハロゲンランプやセラミックヒータ等によって構成されており、制御部１００からの制御信号に応じてヒータ４５３に流れる電流が調節され、あるいはオン、オフされるようになっている。
【００３４】
また、用紙の両面に画像を形成する場合は、画像形成部４０で用紙の一方の面に画像を形成した後、この用紙を排出トレイ４８側の搬送ローラ４６３にニップされた状態とする。この状態で搬送ローラ４６３を反転させて用紙をスイッチバックさせ、用紙を用紙搬送路Ｌに送って画像形成部４０の上流域に再度搬送し、画像形成部４０により他方の面に画像を形成した後、用紙をスタックトレイ３又は排出トレイ４８に排出する。
【００３５】
また、制御部１００には、スキャナ部５１で読み取られた文書データ等が一時的に保存される画像メモリ１４０と、大量の文書データを保存可能な記憶容量を有する大容量の記憶装置であるＨＤＤ（Hard Disk Drive）１５０とが接続されている。このＨＤＤ１５０には、ユーザからの画像形成実行指示が操作パネル部４７に受け付けられたときに、制御部１００からの制御信号に応じて、原稿読取部５で読み取られた原稿の画像のデータが蓄積されるようになっている。
【００３６】
また、ＨＤＤ１５０には、例えば予めユーザの識別情報と、当該ユーザの氏名と、当該ユーザのメールアドレスとが対応付けられたデータテーブル１５１が記憶されている。
【００３７】
画像処理部１６０は、スキャナ部５１による原稿読み取り時には、スキャナ部５１から出力されるアナログ画像信号をデジタル画像に変換し、画質を向上させる画像処理を施した後、圧縮画像に変換する。この圧縮画像は画像メモリ１４０に書き込まれる。制御部１００は、画像メモリ１４０に書き込まれた圧縮画像を、文書管理の対象となるファイルを構成するデータとしてＨＤＤ１５０に格納する。プリントアウト時には、原稿読取部５によって読み取られたデータや、ＨＤＤ１５０から読み出されたデータ（圧縮画像）が画像メモリ１４０に書き出され、画像処理部１６０は、当該圧縮されたデータを伸張処理し、出力状態（レーザ露光又はＬＥＤ露光等の別など）に応じた画像処理を施し、例えばレーザ露光の場合には、レーザ信号（露光装置から発光されるレーザビーム光線を制御するための信号）にアナログ変調する。このアナログ変調された信号に基づいて画像形成部４０でプリントアウトされる。
【００３８】
制御部１００は、装置全体の動作制御を司るもので、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成され、ＲＯＭに記憶された制御プログラムを実行することにより、スキャナコントローラ１０１、ファクシミリコントローラ１０２、プリンタコントローラ１０３、コピーコントローラ１０４、ネットワークコントローラ１０５、報知処理部１０６、及び画像情報読取処理部１０７（識別情報取得部）として機能する。
【００３９】
スキャナコントローラ１０１は、スキャナ部動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０には、データ送受信相手である相手先ファクシミリとの電話回線の接続を制御するＮＣＵ（Network Control Unit）が備えられている。コピーコントローラ１０４は、コピー動作に必要な各部の動作制御を行うものである。
【００４０】
プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ部１８１と、単一の信号線を用いて１ビットずつ順次データを送るシリアル伝送で外部機器と接続するシリアルＩ／Ｆ部１８２とが接続されている。
【００４１】
ネットワークコントローラ１０５は、本複合機１とネットワーク上の通信端末装置２１２、更には、インターネット上のサイトとの間で行われるデータ送受信を制御するものである。ネットワークコントローラ１０５は、ネットワークＩ／Ｆ部２１０を介して外部とデータを送受信させる。
【００４２】
ネットワークＩ／Ｆ部２１０（通信部）は、ネットワークインターフェース（例えば１０／１００base-TX）等を用い、ＬＡＮ（Local Area Network）やインターネット等の通信回線２１１を介して接続されたパーソナルコンピュータやサーバ装置等の通信端末装置２１２との間での種々のデータの送受信を制御するものである。例えば、ネットワークＩ／Ｆ部２１０は、原稿読取部５によって読み取られた原稿画像データや報知処理部１０６から出力された原稿忘れの通知メッセージを通信端末装置２１２へ電子メールとして送信したり、画像形成部４０で印刷するために通信端末装置２１２から送られた画像データを受信したりする。
【００４３】
画像情報読取処理部１０７は、原稿読取部５によって読み取られた原稿画像データに含まれるバーコードや２次元コード等の画像情報を読み取って、ユーザの識別情報を取得する。
【００４４】
報知処理部１０６は、原稿忘れキー４７８が押下された場合、原稿に記憶された識別情報の取得を指示する操作指示を受け付けて、ＩＤタグ読取装置６４及び画像情報読取処理部１０７のうちいずれかによって、原稿載置部６１に載置されている原稿から、ユーザの識別情報の読み取りを行わせる。そして、報知処理部１０６は、データテーブル１５１によって、このようにして得られたユーザの識別情報と対応付けられているユーザの氏名を表示部４７３に表示させる。なお、報知処理部１０６は、ユーザの氏名の代わりに原稿から得られた識別情報をそのまま表示部４７３に表示させてもよい。
【００４５】
さらに、例えばスタートキー４７１（受付部）が押下されると、報知処理部１０６は、識別情報で示されるユーザへの通知を指示する操作指示を受け付けて、データテーブル１５１によりユーザの識別情報と対応付けられているメールアドレスを宛先に指定して、原稿を置き忘れている旨の情報を、ネットワークＩ／Ｆ部２１０により通信端末装置２１２へ送信させる。
【００４６】
なお、本発明に係る画像読取装置は、画像形成部４０や給紙カセット４６１、プリンタコントローラ１０３、コピーコントローラ１０４等、用紙に画像形成を行うための構成部分を備えず、独立した画像読取装置として構成されていてもよい。
【００４７】
次に、このように構成された複合機１の動作について説明する。図４，図５は、複合機１の動作の一例を示すフローチャートである。まず、ユーザが、原稿排出部６２に排出されたまま置き忘れられている原稿を見つけて原稿忘れキー４７８を押下すると（ステップＳ１でＹＥＳ）、報知処理部１０６によって、表示部４７３に、原稿載置部６１への原稿の載置を促すメッセージ、例えば「原稿載置部に原稿をセットして、スタートキーを押してください」といったメッセージが表示される（ステップＳ２）。
【００４８】
次に、ユーザが原稿排出部６２に排出されている原稿を原稿載置部６１へ載置して、スタートキー４７１を押下すると（ステップＳ３でＹＥＳ）、報知処理部１０６からの制御信号に応じて、ＩＤタグ読取装置６４によりＲＦＩＤタグの読み取りが実行される（ステップＳ４）。なお、原稿は、原稿台５２に載置するようにしてもよい。
【００４９】
そして、報知処理部１０６は、ＩＤタグ読取装置６４によりＲＦＩＤタグを読み取ることができた場合（ステップＳ５でＹＥＳ）、ＲＦＩＤタグにより読み取られた識別情報を取得した後、原稿給送部６により原稿を原稿読取部５へ搬送させ、原稿読取部５によって原稿画像を読み取らせる（ステップＳ６）。そして、ステップＳ９へ移行する。一方、ＩＤタグ読取装置６４によりＲＦＩＤタグを読み取ることができなかった場合（ステップＳ５でＮＯ）、原稿にはＲＦＩＤタグが取り付けられていないと考えられるので、バーコードや２次元コード等の画像情報を読み取るべくステップＳ７へ移行する。
【００５０】
ステップＳ７において、報知処理部１０６からの制御信号に応じて、原稿給送部６により原稿が原稿読取部５へ搬送され、原稿読取部５によって原稿画像が読み取られる（ステップＳ７）。そして、画像情報読取処理部１０７によって、原稿読取部５によって読み取られたバーコードや２次元コード等の原稿画像から、ユーザの識別情報が取得される（ステップＳ８）。
【００５１】
次に、ステップＳ９において、報知処理部１０６によって、データテーブル１５１において識別情報と対応付けられているユーザの氏名が取得され、当該氏名とメール通知を行うか否かの確認メッセージ、例えば、「この原稿管理者は＊＊＊さんです。メール通知しますか？メール通知をする場合には、スタートキーを押下してください。」といったメッセージが表示部４７３に表示される（ステップＳ９）。
【００５２】
これにより、ユーザは、置き忘れられていた原稿の管理者を知ることができるので、置き忘れられていた原稿を管理者に返すことが容易となる。
【００５３】
そして、例えばスタートキー４７１が押下されると（ステップＳ１０でＹＥＳ）、報知処理部１０６によって、データテーブル１５１において識別情報と対応付けられているユーザのメールアドレスが取得される。そして、報知処理部１０６によって、当該メールアドレスを宛先に指定して、原稿を置き忘れている旨のメッセージ、例えば「添付の原稿を＊＊＊（原稿を置き忘れた複合機１のマシン名）に忘れています」といったメッセージを含む電子メールが、ネットワークＩ／Ｆ部２１０により通信端末装置２１２へ送信される。このとき、報知処理部１０６によって、原稿読取部５によって読み取られた原稿画像の画像データが、当該メールの添付ファイルとして添付される（ステップＳ１１）。
【００５４】
これにより、置き忘れられていた原稿の管理者に、原稿を置き忘れていたことがメールで通知されるので、管理者が置き忘れていた原稿を取りに行くことが容易となる。また、メールに原稿の画像を添付することにより、メールを受信した管理者は、置き忘れていた原稿を確認することができ、利便性が向上する。また、メールに原稿を置き忘れた複合機１のマシン名を含むことにより、原稿の管理者が原稿を置き忘れた画像形成装置を特定することができるので、管理者が置き忘れていた原稿を取りに行くことが容易となる。
【００５５】
なお、ステップＳ９やステップＳ１１において、原稿から取得された識別情報がデータテーブル１５１に記憶されていない場合、報知処理部１０６は、表示部４７３に、「この原稿の管理者に関するユーザ情報は登録されていません」といったメッセージを表示するようにしてもよい。また、原稿の管理者の氏名やメールアドレスを、データテーブル１５１から読み出す例に限られず、例えば、原稿に、バーコードや２次元コード等の画像情報、あるいはＲＦＩＤタグによって、氏名やメールアドレスを記憶させておき、画像情報読取処理部１０７やＩＤタグ読取装置６４によって、氏名やメールアドレスを取得するようにしてもよい。
【００５６】
また、ステップＳ１１で原稿の画像データをメールに添付せず、ステップＳ６を行わない構成としてもよい。この場合、原稿にＲＦＩＤタグが取り付けられているときは、原稿の読み取りを実行しないので、原稿の読み取り時間が短縮される。
【図面の簡単な説明】
【００５７】
【図１】本発明の一実施形態に係る画像形成装置の一例である複合機の内部構成を概略的に示す側面図である。
【図２】図１に示す複合機の電気的構成の一例を示すブロック図である。
【図３】図１に示す操作パネル部の一例を示す外観図である。
【図４】図１に示す複合機の動作の一例を示すフローチャートである。
【図５】図１に示す複合機の動作の一例を示すフローチャートである。
【符号の説明】
【００５８】
１  複合機
２  本体部
３  スタックトレイ
５  原稿読取部
６  原稿給送部
１１  スキャナ部
４０  画像形成部
４７  操作パネル部
４８  排出トレイ
５１  スキャナ部
５２  原稿台
５３  原稿読取スリット
６１  原稿載置部
６２  原稿排出部
６３  原稿搬送機構
６４  ＩＤタグ読取装置
１００  制御部
１０６  報知処理部
１０７  画像情報読取処理部
１５１  データテーブル
２１０  ネットワークＩ／Ｆ部
２１１  通信回線
２１２  通信端末装置
４１２  像形成部
４７１  スタートキー
４７２  テンキー
４７３  表示部
４７４  リセットキー
４７５  ストップキー
４７６  操作キー部
４７８  原稿忘れキー
【図１】
0004914302.tif 000002
【図２】
0004914302.tif 000003
【図３】
0004914302.tif 000004
【図４】
0004914302.tif 000005
【図５】
0004914302.tif 000006